(57)【特許請求の範囲】
【請求項１】
柔軟性のあるシートと、該シートに形成された孔に挿入される複数個のグロメットと、複数個のキャップと、複数個の発光体とからなり、
前記グロメットが、上半体と下半体とからなり、
前記上半体が、円環状の円環部と、該円環部の内側から下方に延びる筒状部とからなり、
前記下半体が、円環状の円環部を備えており、
前記グロメットは前記シートに形成された複数個所の孔に前記上半体を嵌め、かつ該上半体の下側に前記下半体を嵌め、さらに前記筒状部を外向きに折り曲げて、前記シートを挟んで前記上半体の円環部の下面に前記下半体の円環部の上面を押して付けており、
前記キャップは、天面部と筒形の筒部とからなり、
該キャップの筒部は前記グロメットの上半体における円環部および筒状部に挿入されており、
前記発光体が基板に装着されたLEDからなり、各発光体は前記キャップの筒部の内側に挿入されており、
船舶の手すりに引っ掛けて使用される
ことを特徴とする警告発光表示シート。
【請求項２】
前記複数個の発光体が、複数段かつ複数列のマトリクス状に並べられている
ことを特徴とする請求項１記載の警告発光表示シート。
【請求項３】
前記シートが、縦0.5〜1.5ｍ、横０．５〜６ｍの長方形である
ことを特徴とする請求項１記載の警告発光表示シート。
【発明の詳細な説明】
【技術分野】
【０００１】
本発明は、警告発光表示シートに関する。さらに詳しくは、船舶の手すりに引っ掛けて使用し、光を発することによってメッセージを伝達するための警告発光表示シートに関する。
本発明の代表的な使用例としては、海上保安庁の巡視船艇や海上自衛隊の護衛艦が、船側の手すりに随時引っ掛けて使用し、不審船や違法漁船等への質問や退去命令等の警告を表示するもので、とくに夜間の海上でも、高い視認効果が得られる警告発光表示シートに関する。
【背景技術】
【０００２】
近年、視認性の高い照明器具として、LEDを用いた器具が交通信号機その他の分野で多用されている。これらの照明器具は指向性が強く、高輝度であるという特徴がある。
【０００３】
LEDを用いた照明器具としては、数多くの文献が存在するが、そのうちの代表的なものとして特許文献１〜３がある。
しかし、これらの従来技術は、いずれも硬く曲がらない基板にＬＥＤを取付けたものであり、基板は面状か枠状をしている。
したがって、柔軟性に欠けることから船艇の手すりに引っ掛けて船外に警告信号を送ったり、不使用時には折り畳んで格納しておくといった使用方法は不可能である。
【０００４】
しかるに、海上での不審船の発見や追跡は不意に生じるものであり、とっさに警告を発するには、簡単に手すりを引っ掛けて信号を発する手段があると便利である。
【先行技術文献】
【特許文献】
【０００５】
【特許文献１】ＷＯ２００８/０６２８１２号公報
【特許文献２】特開２０１０−３６００号公報
【特許文献３】特開２０１０−３３７５７号公報
【発明の概要】
【発明が解決しようとする課題】
【０００６】
本発明は上記事情に鑑み、船艇の手すりに引っ掛けて船外に警告信号を送ったり、不使用時には折り畳んで格納しておくといった使用方法が可能な警告発光表示シートを提供することを目的とする。
【課題を解決するための手段】
【０００７】
第１発明の警告発光表示シートは、柔軟性のあるシートと、該シートに形成された孔に挿入される複数個のグロメットと、複数個のキャップと、複数個の発光体とからなり、前記グロメットが、上半体と下半体とからなり、前記上半体が、円環状の円環部と、該円環部の内側から下方に延びる筒状部とからなり、前記下半体が、円環状の円環部を備えており、前記グロメットは前記シートに形成された複数個所の孔に前記上半体を嵌め、かつ該上半体の下側に前記下半体を嵌め、さらに前記筒状部を外向きに折り曲げて、前記シートを挟んで前記上半体の円環部の下面に前記下半体の円環部の上面を押して付けており、前記キャップは、天面部と筒形の筒部とからなり、該キャップの筒部は前記グロメットの上半体における円環部および筒状部に挿入されており、前記発光体が基板に装着されたLEDからなり、各発光体は前記キャップの筒部の内側に挿入されており、船舶の手すりに引っ掛けて使用されることを特徴とする。
第２発明の警告発光表示シートは、第１発明において、前記複数個の発光体が、複数段かつ複数列のマトリックス状に並べられていることを特徴とする。
第３発明の警告発光表示シートは、第１発明において、前記シートが、縦０．５〜１．５ｍ、横０．５〜６ｍの長方形であることを特徴とする。
【発明の効果】
【０００８】
第１発明によれば、つぎの効果を奏する。
ａ）複数個の発光体により文字や図形を光で表示することができるので、夜間や霧中など視認性の無い海上でも船以外にメッセージを送ることができる。しかも、シートは柔軟なので船艇の手すりに引っ掛けて使用でき、使用しないときは折り畳んで格納しておくことができる。
ｂ）隣接する発光体同士の間隔が最低２０ｍｍとなるので、１ｍ四方の枠内に発光体を１６個×１６個は配置でき、種々の文字を表示することができ、しかも遠方からでも視認しやすくなる。
第２発明によれば、複数の発光体がマトリクス状に並んでいるので、点灯する発光体を選択することにより、文字を表示したり図形を表示することが容易となる。このため、船外に送るメッセージの種類を豊富にできる。
第３発明によれば、シートが人手により扱いやすい大きさとなるので、用事に迅速に手すりに引っ掛けたり、撤収することが容易となる。
【図面の簡単な説明】
【０００９】
【図１】本発明の一実施形態に係る警告発光表示シートＡの正面図である。
【図２】図１の警告発光表示シートＡの縦断面図である。
【図３】発光体２の一例の断面図である。
【図４】図１の警告発光表示シートＡの一部正面図である。
【図５】図１の警告発光表示シートＡの一部裏面図である。
【図６】本発明の警告発光表示シートＡの使用状態説明図である。
【発明を実施するための形態】
【００１０】
つぎに、本発明の実施形態を図面に基づき説明する。
図１に基づき本発明の一実施形態に係る警告発光表示シートＡを説明する。
この警告発光表示シートＡは、シート１に発光体２を複数段・複数列のマトリクス状に配置したものである。
本発明の警告発光表示シートＡは、図６に示すように船艇５の手すりｈｒに引っ掛けて使用するため、シート１には柔軟性が要求される。また、発光体２は種々の文字を表示できるだけの数がマトリクス状に並べられたものである。表示する文字としては停船命令や領海外退去命令などの警告文があげられる。
【００１１】
シート１は柔軟性のある素材が用いられ、たとえば、帆布や化学繊維シートなどが好ましい。
このような柔軟性のあるシートを用いると、不使用時には折り畳んで格納することが容易であり、使用時にも、船艇Ｓの手すりｈｒが湾曲していても、これに沿って引っ掛けることができる。
【００１２】
シート１の最も好適な寸法は、縦１ｍ、横４ｍであるが、これは取扱いの便宜から定めた寸法であり、これに限られない。取扱いの便宜からは、縦０．５〜１．５ｍ、横０．５〜６ｍでもよく、さらに、表示する文字量を増やす場合は、これらの寸法より大きくすればよく、文字数が少なくてよい使い方をするなら、小さくてもよい。
【００１３】
図示のシート１には、概ね４文字を表示するように縦１６個×横１６個のからなる発光体２の組が４組並んでおり、点灯する発光体２を選択することにより、例えば「ＳＴＯＰ」等の文字が点灯するように配置されている。
なお、１組の発光体２の数は上記に限ることなく、１６個より少なくてもよく、１６個より多くてもよい。
【００１４】
シート１の適所には発光体２の点灯制御をするための制御器３が取付けられている。
この制御器３により、発光体２の点灯、消灯、点滅等を多数の発光体２の中から選択して行うことにより警告光信号を生成することができる。
この制御器３は、リモートコントロールで船橋などから作動させることができ、これによって危険なデッキに乗員が出ていく必要はなくなる。
【００１５】
図２に示すように、シート１には、その裏面を覆うカバー５を縫い付けている。カバー５はシート１と同材料でもよく異なる材料でもよいが、海水等に耐える材料で作るのが好ましい。シート１およびカバー５の周縁にはロープなどを通す孔があけられ、グロメット４で補強されている。このグロメット４にロープを通せば船艇Ｓの手すりｈｒにシート１を縄着することができる。
【００１６】
つぎに、発光体２の詳細を説明する。
図３に示すように、シート１の孔にグロメット１０が止められている。グロメット１０は、互いに嵌合する上半体１１と下半体１２からなる。上半体１１は、円環状の円環部１１ａと、この円環部１１ａの内側から下方に延びた筒状部１１ｂからなる。筒状部１１ｂはプレスにより折り曲げられる部材である。円環部１１ａの裏面には、シート１に喰い込む突起１１ｅが形成されている。
下半体１２は、円環状の円環部１２ａからなり、円環部１２ａの裏面には、シート１に喰い込む突起１２ｅが形成されている。
【００１７】
このグロメット１０のシート１への固着は、つぎの要領で行われる。
シート１の孔に上半体１１の筒状部１１ｂを挿入し下半体１２の円環部１２ａを筒状部１１ｂの外に嵌める。ついで、上半体１１と下半体１２とが密着するようにプレスすると、筒状部１１ｂが外向きに折り曲げられて、下半体１２の円環部１２ａを止めることができる。また、この状態で、上半体１１の突起１１ｅと下半体１２の突起１２ｅがシート１の表裏両面に喰い込んで、シート１を固定することができる。
【００１８】
上記のグロメット１０の上半体１１には、キャップ１８が上から挿入される。キャップ１８は、ドーム形の天面部１８ａと筒形の筒部１８ｂが一体に形成された部材であって、光を透過する透明材料製のカバー形部材である。
このキャップ１８を被せておくことで、後述するLED１５を保護することができる。
【００１９】
発光素子であるLED１５は基板１４に装着されている。LED１５の本数は３本であるが、２本のものや、その他種々の形態のものを用いることができる。
基板１３の裏面からは配線１６が４本延びている。この４本の配線１６は隣接する発光体２同士を電気的に接続するためである。
【００２０】
本発明で用いる発光体２は図３の実施形態に限られない。たとえば、グロメット１０は図３に例示以外の構造のものでよい。
キャップ１８も図示の形態以外のものを用いてもよい。
【００２１】
図４はシート１の一部分における表面側を示している。
発光体２の直径Ｄは２４ｍｍ、隣接する発光体２同士の間隔ｄは４０ｍｍであり、これが最適値であるが、これに限られるものではない。好ましい範囲としては、発光体２の直径Ｄは１０ｍｍ〜４０ｍｍを例示でき、隣接する発光体２同士の間の間隔ｄは２０ｍｍ〜６０ｍｍを例示でき、さらにはこれらの範囲外でも船外への警告発信に使えるなら使用可能である。
上記の最適値の寸法、間隔であると、１ｍ四方の枠内に発光体２を１６個×１６個配置でき、種々の文字を表示することができ、しかも遠方からでも視認しやすくなる。
【００２２】
図５はシートの一部分における裏面側を示している。図示するように、配線１６で隣接する発光体２同士が電気的に接続されており、全ての発光体２は既述の制御器３（図１参照）に接続されている。
【００２３】
つぎに、本発明の警告発光表示シートＡの使用法を説明する。
図６に示すように、船艇Ｓの手すりｈｒに、警告発光表示シートＡをロープで縄着したり、適当なフックで引っ掛けることができる。手すりｈｒが湾曲していてもシート１は柔軟性があるので、手すりｈｒに取付け可能である。
図示の警告発光表示シートＡは４文字が表示可能であるが、警告発光表示シートＡを２枚以上連らねて用いると、８文字や１２文字の表示が可能となる。
【００２４】
図６では警告発光表示シートＡに「ＳＴＯＰ」の文字を発光表示した状態を示しているが、表示する文字の種類や数には制限がない。
代表的な例としては、不審船が違法操業漁船への停止命令、退去命令など種々の警告を発することができる。
【符号の説明】
【００２５】
１    シート
２    発光体
３    制御器
４    グロメット
５    カバー
１０    グロメット
１１    上半体
１２    下半体
１５    ＬＥＤ
１８    キャップ
【図１】
0005426611.tif 000002
【図２】
0005426611.tif 000003
【図３】
0005426611.tif 000004
【図４】
0005426611.tif 000005
【図５】
0005426611.tif 000006
【図６】
0005426611.tif 000007